(57)【特許請求の範囲】
【請求項１】
刀身本体に刃体を装着してなる刃物において、
上記刀身本体は、該刀身本体の長手方向及び厚み方向の双方に直交する方向である高さ方向の一端及び上記刀身本体の先端に開口する溝状の刃体保持部と、上記高さ方向の一端に開口すると共に上記刃体保持部に連結された係合凹部とを有し、
上記刀身本体の上記刃体保持部には、上記刃体がその刃先を開口部から露出させた状態で装着されると共に、厚み方向から上記刃体を上記刃体保持部の一方の内側面に向かって押圧するように付勢された板ばねが配設されており、
上記板ばねは、自由状態において厚み方向に湾曲あるいは屈曲して厚み方向の付勢力が付与される付勢部と、該付勢部の基端において該付勢部の凸面側に屈曲した段状部と、該段状部よりも基端側において厚み方向へ屈曲した係合突片とを有し、
上記刃体は、一方の側面が上記板ばねの上記付勢部の凸面に接触すると共に押圧されることにより、上記板ばねと上記刃体保持部における一方の内側面との間に挟持され、基端が上記板ばねの上記段状部に当接した状態で、上記刃体保持部に装着されていることを特徴とする刃物。
【請求項２】
請求項１において、上記係合凹部に係合された上記板ばねの上記係合突片を少なくとも上記係合凹部の開口部側から被覆する被覆体を有することを特徴とする刃物。
【請求項３】
請求項２において、上記被覆体は、上記刀身本体の基端部に固定されたハンドルであることを特徴とする刃物。
【請求項４】
請求項１〜３のいずれか一項において、上記刃体保持部は、上記刀身本体に対して切削加工することによって形成してなることを特徴とする刃物。
【請求項５】
請求項１〜４のいずれか一項において、上記刃物は剃刀であることを特徴とする刃物。
【発明の詳細な説明】
【技術分野】
【０００１】
本発明は、刀身本体に刃体を装着してなる刃物に関する。
【背景技術】
【０００２】
顔剃りや毛髪のカット用の剃刀や、医療用、病理用のナイフなどに使用される刃物として、刀身本体に刃体を装着してなる刃物がある。
かかる刃物においては、刀身本体に設けた溝状の刃体保持部に刃体を挿入することにより装着される。
【０００３】
ところが、製造の際の寸法誤差や経年変化などが原因で刃体と刀身本体との間に隙間が生じることがある。また刃体は前端の挿脱口から刀身本体に着脱可能に挿脱されるが、刃体の挿脱に起因する磨耗などにより刀身本体の刃体保持部に保持される刃体に緩みが生じることがある。
【０００４】
そこで、図１２〜図１４に示すごとく、刀身本体９２の刃体保持部９２１に弾性体である板ばね９４を配設した剃刀９が提案されている（特許文献１、２参照）。これにより、、刃体保持部９２１に装着された刃体９３がこれと当接する板ばね９４の付勢力で厚み方向に押圧され、刃体９３が安定して保持される。この場合、刃体保持部９２１における板ばね９４の長手方向のずれを阻止するため、板ばね９４の基端に設けた係合突片９４３が刀身本体９２に設けた係合凹部９２２に係合されている。
【０００５】
【特許文献１】実公昭４５年第１１７７８号公報
【特許文献２】特開２００６−２５５３７９号公報
【発明の開示】
【発明が解決しようとする課題】
【０００６】
しかしながら、板ばね９４によって刃体９３を厚み方向に押圧する構造においては、刃体９３を刃体保持部９２１に挿入する際に、刃体９３を長手方向における適切な位置に配置することが困難となるおそれがある。すなわち、刃体９３を刃体保持部９２１に挿入する際には、図１４に示すごとく、刃体９３を刀身本体９２の先端側から刃体保持部９２１へ挿入し、刃体９３を刃体保持部９２１内の板ばね９４と摺動させながら、図１２に示すごとく、刃体９３の長手方向に挿入する。このとき、例えば、刃体９３を刃体保持部９２１に挿入しすぎてしまうことにより、図１５に示すごとく、正規の位置（例えば図１２に示すような刃体９３の先端９３１と刀身本体９２の先端９２３とが一致する位置）とは異なる位置に刃体９３が装着されてしまうことがある。
この場合、剃刀９の使用性が低下してしまうおそれがある。
【０００７】
本発明は、かかる従来の問題点に鑑みてなされたもので、刀身本体における正確な位置に刃体を容易かつ確実に装着することができる刃物を提供しようとするものである。
【課題を解決するための手段】
【０００８】
本発明は、刀身本体に刃体を装着してなる刃物において、
上記刀身本体は、該刀身本体の長手方向及び厚み方向の双方に直交する方向である高さ方向の一端及び上記刀身本体の先端に開口する溝状の刃体保持部と、上記高さ方向の一端に開口すると共に上記刃体保持部に連結された係合凹部とを有し、
上記刀身本体の上記刃体保持部には、上記刃体がその刃先を開口部から露出させた状態で装着されると共に、厚み方向から上記刃体を上記刃体保持部の一方の内側面に向かって押圧するように付勢された板ばねが配設されており、
上記板ばねは、自由状態において厚み方向に湾曲あるいは屈曲して厚み方向の付勢力が付与される付勢部と、該付勢部の基端において該付勢部の凸面側に屈曲した段状部と、該段状部よりも基端側において厚み方向へ屈曲した係合突片とを有し、
上記刃体は、一方の側面が上記板ばねの上記付勢部の凸面に接触すると共に押圧されることにより、上記板ばねと上記刃体保持部における一方の内側面との間に挟持され、基端が上記板ばねの上記段状部に当接した状態で、上記刃体保持部に装着されていることを特徴とする刃物にある（請求項１）。
【０００９】
次に、本発明の作用効果につき説明する。
上記刃物は、上記刀身本体の刃体保持部に上記板ばねを配設してなる。これにより、刃体保持部に装着した刃体を、板ばねの付勢部によって厚み方向に押圧している。そのため、寸法誤差や経年変化、摩耗等があっても、刃体と刃体保持部との間の緩みを防ぐことができる。
【００１０】
そして、上記板ばねは上記段状部を有し、刃体はその基端を段状部に当接した状態で装着される。それゆえ、この段状部が刃体の位置決め手段となり、刃体保持部における長手方向の刃体の装着位置を正確な位置に決めることができる。その結果、刃体を挿入しすぎて正規の位置からずれた位置に刃体が装着されることを防ぐことができ、使用性に優れた刃物を得ることができる。
【００１１】
以上のごとく、本発明によれば、刀身本体における正確な位置に刃体を容易かつ確実に装着することができる刃物を提供することができる。
【発明を実施するための最良の形態】
【００１２】
本発明（請求項１）において、上記刃物は、例えば、顔剃りや毛髪のカット用の剃刀や、医療用、病理用のナイフなどに使用される刃物とすることができる。
なお、本明細書において、上記刃物の長手方向における先端側と反対側を基端側として説明する。
【００１３】
また、上記刃物は、上記係合凹部に係合された上記板ばねの上記係合突片を少なくとも上記係合凹部の開口部側から被覆する被覆体を有することが好ましい（請求項２）。
この場合には、上記板ばねが上記係合凹部から離脱することを防ぐことができる。
【００１４】
また、上記被覆体は、上記刀身本体の基端部に固定されたハンドルであることが好ましい（請求項３）。
この場合には、上記ハンドルに被覆体としての機能を持たせることができるため、上記刃物の構成要素を少なくして、製造容易、安価、かつ外観意匠性に優れた刃物を得ることができる。
なお、これ以外にも、例えば、板ばねの係合突片を係合させた係合凹部に、接着剤や充填剤を配置して、これを被覆体とすることもできるし、ベルト、テープのような帯状物を被覆体とすることもできる。
【００１５】
また、上記刃体保持部は、上記刀身本体に対して切削加工することによって形成してなるものとすることができる（請求項４）。
この場合には、例えば、板状体を折り曲げ加工することによって刃体保持部を形成する場合等に比べて、刃体保持部の幅を正確に形成しやすい。しかし、かかる場合には、上記刃体保持部の長手方向の寸法を正確にすることが困難なため、刃体を確実に装着できるように必要以上の長さに刃体保持部を形成することとなる。そうすると、仮に本発明を適用しないと、刃体保持部に刃体を装着する際に、刃体を長手方向に挿入しすぎてしまうという不具合が生じやすい。そこで、このような切削加工によって上記刃体保持部を形成した刃物に対して本発明を適用することにより、本発明の効果を一層発揮することができる。
【００１６】
また、上記刃物は剃刀であることが好ましい（請求項５）。
この場合には、本発明の効果を充分に発揮することができる。すなわち、剃刀の場合に、刃体が刀身本体に対して基端方向に挿入されすぎた状態で装着されると、その使用性が大きく低下することとなる。すなわち、非常に使い辛い剃刀となってしまうおそれがある。それゆえ、本発明を適用して、刀身本体に対する刃体の装着位置を正確に決めることができる技術が要請されていた。そこで、本発明を剃刀に適用することにより、上記の要請に充分に応えることができる。
【実施例】
【００１７】
本発明の実施例にかかる刃物につき、図１〜図１１を用いて説明する。
本例の刃物１は、図１、図２に示すごとく、刀身本体２に刃体３を装着してなる。
刀身本体２は、図１、図３、図５に示すごとく、刀身本体２の長手方向及び厚み方向の双方に直交する方向である高さ方向の一端及び刀身本体２の先端に開口する溝状の刃体保持部２１と、高さ方向の一端に開口すると共に刃体保持部２１に連結された係合凹部２２とを有する。
【００１８】
刀身本体２の刃体保持部２１には、図２に示すごとく、刃体３がその刃先３２を開口部（下方開口部２１２）から露出させた状態で装着されると共に、図１に示すごとく、厚み方向から刃体３を刃体保持部２１の一方の内側面２１３に向かって押圧するように付勢された板ばね４が配設されている。
板ばね４は、図８に示すごとく、自由状態において厚み方向に弓状に湾曲した付勢部としての弓状部４１と、該弓状部４１の基端において弓状部４１の凸面４１１側に屈曲した段状部４２と、該段状部４２よりも基端側において厚み方向へ屈曲した係合突片４３とを有する。
【００１９】
図１に示すごとく、刃体３は、一方の側面が板ばね４の弓状部４１の凸面４１１に接触すると共に押圧されることにより、板ばね４と刃体保持部２１における一方の内側面２１３との間に挟持され、基端３１２が板ばね４の段状部４２に当接した状態で、刃体保持部２１に装着されている。
また、図３、図４に示すごとく、係合凹部２２に係合された板ばね４の係合突片４３を少なくとも係合凹部２２の開口部側から被覆する被覆体として、ハンドル５が刀身本体２の基端部２６に固定されている。
【００２０】
刃体保持部２１は、刀身本体２に対して、メタルソー、フライスカッター等を用いて切削加工することによって形成してなる。係合凹部２２についても同様に切削加工によって形成する。
なお、本例の刃物１は、顔剃りや毛髪のカット用の剃刀であり、上記刃体３は、刀身本体２に対して着脱可能な替刃である。
【００２１】
刀身本体２は、板棒状の金属体に切削加工することにより、刃体保持部２１を形成する。刃体保持部２１は、図１、図３に示すごとく、刀身本体２の刀身先端２３１に開口した先端開口部２１１と、刀身本体２の高さ方向の一端（刀身下端２３２）に開口した下方開口部２１２とを有する。本例では、下方開口部２１２の開口方向を下方として説明する。
刃体保持部２１の厚み方向の両側に配される一対の側面部２４は、図５に示すごとく、下端へ行くに従って互いに近づく方向に若干傾斜している。これは、刃体保持部２１の切削加工の後に、一対の側面部２４に曲げ加工を施すことにより、形成したものである。これにより、刃体保持部２１に装着した刃体３が下方へ抜けることを防いでいる。
【００２２】
図４、図１０、図１１に示すごとく、刃体２は、刃体保持部２１における先端開口部２１１から、刀身本体２の長手方向に沿って挿入されて、図１、図２に示すごとく、刀身本体２に装着される。
刃体保持部２１に保持された刃体３の刃体先端３１１は、刀身本体２の刀身先端２３１と、長手方向の略同等の位置に配置される。
図２に示すごとく、刃体３は、刃先３２を刃体保持部２１の下方開口部２１２から突出させている。
【００２３】
また、図１に示すごとく、刃体保持部２１と係合凹部２２との間には、両者を連結する溝部２５が形成されている。溝部２５は、刃体保持部２１の基端側に刀身本体２の長手方向に形成されており、その深さ及び厚みは、刃体保持部２１よりも小さい。
そして、溝部２５を横切るように、係合凹部２２が刀身本体２の厚み方向全体にわたって形成されている。すなわち、係合凹部２２は、溝部２５における厚み方向の両側に形成されている。
【００２４】
刃体３は、図３に示すごとく、刃体本体３２０と、刃体本体３２０を両面から覆うガイドカバー３２１とからなる。ガイドカバー３２１は、下端に波型輪郭部３２２を有し、該波型輪郭部３２２の一部から、刃体本体３２０の刃先３２が露出している。
板ばね４は、図８に示すごとく、段状部４２と係合突片４３との間に、平板状のストレート部４４を有する。そして、板ばね４は、図１、図７に示すごとく、ストレート部４４の一部を、刀身本体２の溝部２５に配置し、係合突片４３を係合凹部２２に配置し、弓状部４１を刃体保持部２１に配置するようにして、刀身本体２に装着する。
【００２５】
なお、板ばね４は、ばね鋼からなることが好ましいが、弾性変形可能な材料であればよく、例えば、プラスチック等によって構成することもできる。
また、上記弓状部４１は、板ばね４の自由状態において厚み方向に湾曲あるいは屈曲して厚み方向の付勢力が付与される付勢部であればよく、例えば、弓状部分が複数連続するような波形状としてもよいし、屈曲部を有する三角形状や台形状としてもよい。
また、段状部４２は、例えば、厚み方向に１〜２ｍｍ形成することができる。
【００２６】
また、図４に示すごとく、刀身本体２の基端部に取り付けられたハンドル５は、刀身本体２の係合凹部２２を、その下方及び側方から覆っている。また、ハンドル５は、特に材質が限定されるものではないが、例えば、樹脂成形体によって構成することができる。
【００２７】
本例の刃物１を組み立てるに当たっては、まず、図６、図７に示すごとく、刀身本体２に板ばね４を下方開口部２１２側から装着する。この状態においては、板ばね４は、弓状部４１の凸面４１１を刃体保持部２１の一方の内側面２１３に当接させ、弓状部４１の先端４１２を、刃体保持部２１の他方の内側面２１４に当接させている。
次いで、図４に示すごとく、ハンドル５を刀身本体２の基端部に装着する。すなわち、刀身本体２の基端部を、ハンドル５の嵌入保持部５１に嵌入させる。
【００２８】
次いで、図１０、図１１、図１に示すごとく、刃体３を刃体保持部２１に保持させる。
まず、図１０に示すごとく、板ばね４を装着した刀身本体２に対して、刃体保持部２１の先端開口部２１１から、刀身本体２の長手方向に沿って、刃体３を挿入する。
図１１に示すごとく、刃体３の挿入を続けると、刃体３の基端３１２が板ばね４の弓状部４１の凸面４１１に接触すると共に、弓状部４１をその付勢方向とは逆の方向に向かって変形させる。
【００２９】
さらに刃体３の挿入を続けると、図１に示すごとく、刃体３の基端３１２が板ばね４の段状部４２に当接し、これ以上挿入できなくなる。このとき、刃体３の先端３１１は、刀身本体２の刀身先端部２３１と略一致している。
また、この状態において、刃体３は、板ばね４の弓状部４１の付勢力によって刃体保持部２１の一方の内側面２１３に押し付けられ、板ばね４と刃体保持部２１の内側面２１３との間に保持されることとなる。
【００３０】
また、刃体３は、適宜交換することのできる替刃とすることができる。すなわち、刃物１を所定期間あるいは所定回数使用した後、刃体３のみを交換する。この場合、使用済みの刃体３を、刀身本体２の刃体保持部２１から、先端開口部２１１側へスライドさせて外す。そして、新品の刃体３を、先端開口部２１１から刃体保持部２１にスライドさせて挿入する。このときの挿入も、やはり、刃体３の基端３１２が板ばね４の段状部４２に当接するまで行うことにより、刀身本体２に対する刃体３の正確な位置決めができる。
【００３１】
次に、本例の作用効果につき説明する。
上記刃物１は、刀身本体２の刃体保持部２１に板ばね４を配設してなる。これにより、刃体保持部２１に装着した刃体３を、板ばね４の付勢部である弓状部４１によって厚み方向に押圧している。そのため、寸法誤差や経年変化、摩耗等があっても、刃体３と刃体保持部２１との間の緩みを防ぐことができる。
【００３２】
そして、板ばね４は上記段状部４２を有し、図１に示すごとく、刃体３はその基端３１２を段状部４２に当接した状態で装着される。それゆえ、この段状部４２が刃体３の位置決め手段となり、図２に示すごとく、刃体保持部２１における長手方向の刃体３の装着位置を正確な位置に決めることができる。その結果、刃体３を挿入しすぎて正規の位置からずれた位置に刃体３が装着されること（図１５参照）を防ぐことができ、使用性に優れた刃物１を得ることができる。
なお、本例においては、刃体３１の刃体先端３１１と刀身本体２の刀身先端２３１とが一致するような刃体３の位置を、刃体保持部２１における刃体３の正規の装着位置としたが、必ずしもこれに限られるものではない。
【００３３】
また、刃物１は、係合凹部２２に係合された板ばね４の係合突片４３を少なくとも係合凹部２２の開口部側から被覆する被覆体としてハンドル５を有するため、板ばね４が係合凹部２２から離脱することを防ぐことができる。
また、ハンドル５に被覆体としての機能を持たせることにより、刃物１の構成要素を少なくして、製造容易、安価、かつ外観意匠性に優れた刃物１を得ることができる。
なお、これ以外にも、例えば、板ばね４の係合突片４３を係合させた係合凹部２２に、接着剤や充填剤を配置して、これを被覆体とすることもできるし、ベルト、テープのような帯状物を被覆体とすることもできる。
【００３４】
また、刃体保持部２１は、刀身本体２に対して切削加工することによって形成してなるため、例えば、板状体を折り曲げ加工することによって刃体保持部２１を形成する場合等に比べて、刃体保持部２１の幅を正確に形成しやすい。しかし、かかる場合には、刃体保持部２１の長手方向の寸法を正確にすることが困難なため、刃体３を確実に装着できるように必要以上の長さに刃体保持部２１を形成することとなる。そうすると、仮に本発明を適用しないと、刃体保持部２１に刃体３を装着する際に、刃体３を長手方向に挿入しすぎてしまうという不具合が生じやすい（図１５参照）。そこで、このような切削加工によって刃体保持部２１を形成した刃物１に対して本発明を適用することにより、本発明の効果を一層発揮することができる。
【００３５】
また、刃物１は剃刀であり、本発明の効果を充分に発揮することができる。すなわち、剃刀の場合に、刃体３が刀身本体２に対して基端方向に挿入されすぎた状態（図１５参照）で装着されると、その使用性が大きく低下することとなる。すなわち、非常に使い辛い剃刀となってしまうおそれがある。それゆえ、本発明を適用して、刀身本体２に対する刃体３の装着位置を正確に決めることができる技術が要請されていた。そこで、本発明を剃刀に適用することにより、上記の要請に充分に応えることができる。
【００３６】
以上のごとく、本例によれば、刀身本体における正確な位置に刃体を容易かつ確実に装着することができる刃物を提供することができる。
【図面の簡単な説明】
【００３７】
【図１】実施例１における、刃物の底面図。
【図２】実施例１における、刃物の側面図。
【図３】実施例１における、刃物の展開図。
【図４】実施例１における、刃体を刀身本体に挿入する途中の状態を示す刃物の断面図。
【図５】実施例１における、刀身本体を先端側から見た正面図。
【図６】実施例１における、板ばねを装着した刀身本体の断面図。
【図７】実施例１における、板ばねを装着した刀身本体の底面図。
【図８】実施例１における、板ばねの側面図。
【図９】実施例１における、板ばねの平面図。
【図１０】実施例１における、刃体を刀身本体に挿入し始めた状態を示す刃物の底面図。
【図１１】実施例１における、刃体を刀身本体に挿入する途中の状態を示す刃物の底面図。
【図１２】従来例における、剃刀の底面図。
【図１３】従来例における、板ばねの側面図。
【図１４】従来例における、刃体を刀身本体に挿入する途中の状態を示す剃刀の底面図。
【図１５】従来例における、刃体が刀身本体に対して長手方向にずれた状態で装着された剃刀の側面図。
【符号の説明】
【００３８】
１  刃物
２  刀身本体
２１  刃体保持部
２２  係合凹部
３  刃体
４  板ばね
４１  弓状部（付勢部）
４１１  凸面
４２  段状部
４３  係合突片
【図１】
0005107136.tif 000002
【図２】
0005107136.tif 000003
【図３】
0005107136.tif 000004
【図４】
0005107136.tif 000005
【図５】
0005107136.tif 000006
【図６】
0005107136.tif 000007
【図７】
0005107136.tif 000008
【図８】
0005107136.tif 000009
【図９】
0005107136.tif 000010
【図１０】
0005107136.tif 000011
【図１１】
0005107136.tif 000012
【図１２】
0005107136.tif 000013
【図１３】
0005107136.tif 000014
【図１４】
0005107136.tif 000015
【図１５】
0005107136.tif 000016